(57)【要約】      （修正有）【課題】輪の大きさを任意に選択可能で、用途に応じていろいろなところに装着可能な布製装身具を提供する。【解決手段】布製で、両端が閉塞した円筒状の本体１０と、本体１０を略Ｕ字状に配置した状態で、本体１０の相対する面を着脱自在に連結する複数の連結具１２とを備え、本体１０の内部に、本体１０の長手方向に沿って伸縮自在な巾細紐を備え、巾細紐が、連結具１２を介して本体１０に部分的に固定されており、本体１０が、ガーゼ生地、タオル生地、コットン地又はベルベットでなることを特徴とする。【選択図】図１
0003181416.tif 000002
【実用新案登録請求の範囲】
【請求項１】
布製で、両端が閉塞した円筒状の本体と、
該本体を略Ｕ字状に配置した状態で、該本体の相対する面を着脱自在に連結する複数の連結具とを備えることを特徴とする布製装身具。
【請求項２】
前記本体の内部に、該本体の長手方向に沿って伸縮自在な巾細紐を備え、
該巾細紐が、前記連結具を介して該本体に部分的に固定されていることを特徴とする請求項１記載の布製装身具。
【請求項３】
前記本体が、ガーゼ生地、タオル生地、コットン地又はベルベットでなることを特徴とする請求項１又は請求項２記載の布製装身具。
【考案の詳細な説明】
【技術分野】
【０００１】
本考案は、身体や携帯する身の回りの物につける布製装身具に関する。
【背景技術】
【０００２】
従来より、布製の装身具としては、例えば、特許文献１に示されるようなものがある。この装身具は、身体の首・手首・足首・頭等に巻き付けるマフラーのような長尺状の装身具で、生地として毛皮・ボア・ファー等の植毛された表面素材とからなる。そして、装身具本体の両端には磁石体が埋設されており、連結可能な身体巻き付け装身具となっている。
【先行技術文献】
【特許文献】
【０００３】
【特許文献１】特開２０１２−６５７０６号公報
【考案の概要】
【考案が解決しようとする課題】
【０００４】
しかしながら、従来の装身具は、単に、端部同時が連結され、円環状に繋がるだけで、用途に応じて輪の大きさを変えるなどの使い方の工夫ができないという問題点があった。
【０００５】
本考案は、このような事情に鑑みてなされたもので、輪の大きさを任意に選択可能で、用途に応じていろいろなところに装着可能な布製装身具を提供することにある。
【課題を解決するための手段】
【０００６】
請求項１記載の布製装身具は、布製で、両端が閉塞した円筒状の本体と、本体を略Ｕ字状に配置した状態で、本体の相対する面を着脱自在に連結する複数の連結具とを備えることを特徴とする。
【０００７】
請求項２記載の布製装身具は、本体の内部に、本体の長手方向に沿って伸縮自在な巾細紐を備え、巾細紐が、連結具を介して本体に部分的に固定されていることを特徴とする。
【０００８】
請求項３記載の布製装身具は、本体が、ガーゼ生地、タオル生地、コットン地又はベルベットでなることを特徴とする。
【考案の効果】
【０００９】
請求項１の考案によれば、両端が閉塞した円筒状の本体と、本体を略Ｕ字状に配置した状態で、本体の相対する面を着脱自在に連結する複数の連結具とを備えることから、自由な位置で連結具で本体を連結可能で、輪の大きさを任意に選択可能で、用途に応じていろいろなところに装着可能である。
【００１０】
請求項２の考案によれば、本体の内部に、本体の長手方向に沿って伸縮自在な巾細紐を備えることから、全体として伸縮性がありつつ、巾細紐が連結具を介して本体に部分的に固定されていることから、連結した部分を中心に全体が伸縮するため、余分なたるみ等が生じにくく、装着した部位への密着性が増す。
【００１１】
請求項３の考案によれば、本体が、ガーゼ生地、タオル生地、コットン地又はベルベットでなることから、肌触りが良く、また吸水性が良い。
【図面の簡単な説明】
【００１２】
【図１】本考案に係る布製装身具の一例を示す説明図である。
【図２】同布製装身具の内部構造を示す説明図である。
【図３】図２のＡ−Ａ線矢視部分断面図である。
【図４】同布製装身具の使用状態を示す説明図である。
【考案を実施するための形態】
【００１３】
以下、本考案の形態について図面を参照しながら具体的に説明する。図１は、本考案に係る布製装身具の一例を示す説明図である。図２は、同布製装身具の内部構造を示す説明図である。図３は、同布製装身具の使用状態を示す説明図である。図４は、図２のＡ−Ａ線矢視部分断面図である。
【００１４】
図１〜図４において、布製装身具１は、身体や身の回りの物につけるものである。具体的な用途としては、装飾品としての他、涎掛け、身体に装着可能なタオル等が考えられるが、特に限定されるものではない。また、カーテンをまとめるタッセルや自動車のシートベルトカバー等として、身体や携帯する身の回りの物に身につけること以外の用途で用いることも可能である。
【００１５】
布製装身具１は、布製で、両端が閉塞した円筒状の本体１０と、本体１０を略Ｕ字状に配置した状態で、本体１０の相対する面を着脱自在に連結する複数の連結具１２とを備えている。本体１０の材質は、ガーゼ生地、タオル生地、コットン地又はベルベットが好ましいが、これ以外の布であればよく、布には不織布等の布に類するものも含むものとする。また、図においては、連結具１２（雄側連結具１２ａ、雌側連結具１２ｂ）として、ホックを描いているが、ホックに限らず、本体１０の相対する面を着脱自在に連結することができるものであればよい。また、本体１０の長さは任意であるし、連結具１２の個数も任意である。
【００１６】
図２及び図３に示すように、布製装身具１の本体１０の内部に、本体１０の長手方向に沿って伸縮自在な巾細紐であるゴム紐１４が、連結具１２を介して本体１０に部分的に固定されている。本実施の形態では、本体１０の裏側に長手方向に沿ってゴム紐１４を伸設し、本体１０の外側の雄側連結具本体１２ａａと本体１０の内側の雄側連結具挟持部品１２ａｂとでゴム紐１４を挟み止めている。連結具１２が間隔を置いて配置されているので、ゴム紐１４は、本体１０の内側に部分的に固定されている状態となっている。尚、雌側連結具１２ｂについても、ゴム紐１４の固定は、同様である。
【００１７】
次に、本実施の形態の布製装身具１の使用手順を説明する。１つの使用手順としては、布製装身具１の本体１０を、連結具１２を介して連結しない状態の長尺のまま、装着したい部位である首や手首等に巻き付けるようにする。そして、装着したい部位の太さに応じて、複数ある連結具１２のいずれかで、本体１０の相対する面を連結する。それにより、布製装身具１を装着したい部位に固定されることになる（図３では、連結具１２のすべてを連結した状態を示す）。尚、連結する連結具１２の位置や個数は、適宜選択すればよい。
【００１８】
以上のような本考案の布製装身具１によれば、両端が閉塞した円筒状の本体１０と、本体を略Ｕ字状に配置した状態で、本体１０の相対する面を着脱自在に連結する複数の連結具１２とを備えることから、自由な位置で連結具１２で本体を連結可能で、輪の大きさを任意に選択可能で、用途に応じていろいろなところに装着可能である。
【００１９】
また、本体１０の内部に、本体の長手方向に沿って伸縮自在な巾細紐であるゴム紐１４を備えることから、全体として伸縮性がありつつ、ゴム紐１４が連結具１２を介して本体１０に部分的に固定されていることから、連結した部分を中心に全体が伸縮するため、余分なたるみ等が生じにくく、装着した部位への密着性が増す。
【００２０】
さらに、本体１０を、ガーゼ生地、タオル生地、コットン地又はベルベットにすることで、肌触りが良く、また吸水性が良くなる。
【産業上の利用可能性】
【００２１】
本考案により、輪の大きさを任意に選択可能で、用途に応じていろいろなところに装着可能な布製装身具を提供することができる。
【符号の説明】
【００２２】
１・・・・・・布製装身具
１０・・・・・本体
１２・・・・・連結具
１２ａ・・・・雄側連結具
１２ａａ・・・雄側連結具本体
１２ａｂ・・・雄側連結具挟持部品
１２ｂ・・・・雌側連結具
１４・・・・・ゴム紐
【図１】
0003181416.tif 000003
【図２】
0003181416.tif 000004
【図３】
0003181416.tif 000005
【図４】
0003181416.tif 000006